(57)【要約】【課題】手のひらを撮像して、手のひら認証に使用する手のひら認証用撮像装置に関し、利用者の手のひらを撮像範囲に的確に誘導する。【解決手段】手のひらを撮像する非接触センサーユニット（１８）の一方の側に、非接触センサーユニット（１８）で撮像される手の手首を支持する前面ガイド（１４）を設けた。前面ガイド（１４）により、手のひら認証のために撮像する際に、手のひらを、自然とセンサーユニット（１８）の撮像範囲に誘導することができ、手首を支持するため、手のひらを的確にセンサーユニット（１８）の撮像範囲に位置させることができる。【選択図】図３
2006011988.tif 000002
【特許請求の範囲】
【請求項１】
手のひらから認証用パターンを撮像するための手のひら認証用撮像装置において、
前記手のひらに対し光を発射し、且つ反射光を受光して、前記手のひらを撮像する非接触センサーユニットと、
前記非接触センサーユニットの一方の側に設けられ、前記非接触センサーユニットで撮像される手の手首を支持する前面ガイドとを有する
ことを特徴とする手のひら認証用撮像装置。
【請求項２】
前記前面ガイドは、前記手首を支持し、前記手のひらが前記非接触センサーユニットの撮像範囲に位置するように、前記非接触センサーユニットからの位置に設けられた
ことを特徴とする請求項１の手のひら認証用撮像装置。
【請求項３】
前記前面ガイドは、前記手首を支持する部分に、前記手首に沿った形状部分を有する
ことを特徴とする請求項１の手のひら認証用撮像装置。
【請求項４】
前記前面ガイドは、前記手首を支持する部分に、前記手首と面接触するカーブ部を有する
ことを特徴とする請求項４の手のひら認証用撮像装置。
【請求項５】
前記非接触センサーユニットの他方の側に設けられ、前記手の指を支持する背面ガイドを更に有する
ことを特徴とする請求項１の手のひら認証用撮像装置。
【発明の詳細な説明】
【技術分野】
【０００１】
本発明は、個人認証のため人間の体の一部である手のひらを撮像するための手のひら認証用撮像装置に関し、特に、不慣れな人でも、容易に、手のひらの特徴を抽出できるように、手のひらを撮像するための手のひら認証用撮像装置に関する。
【背景技術】
【０００２】
人間の体には、指紋、網膜、顔面、血管など個人を区別できる部分が、多数存在する。近年のバイオメトリックス技術の進展に伴い、このような人間の体の一部の特徴を認識して、個人認証する装置が種々提供されている。この内、手のひらの血管、掌紋は、比較的大量の個人特徴データを得られるため、個人認証の信頼性に適している。
【０００３】
特に、血管（静脈）の模様は、胎児の時から生涯変わらず、万人不同と言われおり、個人認証に適している。図２０乃至図２３は、従来の手のひら認証技術の説明図である。図２０に示すように、登録又は認証時に、利用者は、撮像装置１００に手１１０のひらを近づける。撮像装置１００は、近赤外線を発光し、手１１０のひらに当てる。撮像装置１００は、手１１０のひらから跳ね返った近赤外線を、センサーで受信する。
【０００４】
図２１に示すように、静脈１１２に流れる赤血球の中のヘモグロビンは、酸素を失っている。このヘモグロビン（還元ヘモグロビン）は、７６０ナノメートル付近の近赤外線を吸収する。このため、手のひらに近赤外線を当てると、静脈がある部分だけ反射が少なく、反射した近赤外線の強弱で、静脈の位置を認識できる。
【０００５】
図２２及び図２３に示すように、利用者は、先ず、自身の手のひらの静脈画像データを、図２０の撮像装置１００を利用して、サーバやカードに登録する。次に、個人認証するには、利用者は、自身の手のひらの静脈画像データを、図２０の撮像装置１００を利用して、読み取らせる。
【０００６】
利用者のＩＤで引き出された静脈登録画像と、読み取られた静脈照合画像との静脈の模様を照合し、個人認証する。例えば、図２２のような登録画像と照合画像との静脈模様の照合では、本人と認証する。一方、図２３のような登録画像と照合画像との静脈模様の照合では、本人と認証しない（例えば、特許文献１参照）。
【特許文献１】特開２００４−０６２８２６号公報（図２乃至図９）
【発明の開示】
【発明が解決しようとする課題】
【０００７】
しかしながら、この手のひら認証技術では、非接触で、利用者に抵抗感なく、撮像できるが、画像の登録や照合時には、画像の位置、大きさ、傾きが問題となる。即ち、手のひらを撮像装置にかざす姿勢、撮像装置と手のひらとの距離、位置、傾き、大きさが異なると、登録画像と照合画像とが、同一の手のひらでも大きく異なり、正確な照合が困難となる。
【０００８】
前述の従来技術でも、誤判定の要因となるため、画像処理機能やセンサーを設けて、手のひらを撮像装置の撮像範囲に誘導する方法が提案されているが、この誘導方法は、慣れた利用者では、有効であるが、不慣れな利用者でも利用できる装置を対象とする場合には、特に、初回の登録時や、比較的この装置の知識が少ない場合には、利用者にとって、便宜が良くない。
【０００９】
このため、いつでも、どこでも、だれにでもというユビキタス装置への適用に障害が生じる。しかも、操作に時間がかかれば、利用者及び装置メーカーの両方にとって、普及の阻害となる。
【００１０】
従って、本発明の目的は、手のひら認証のための撮像する際に、手のひらを、自然と撮像装置の撮像範囲に的確に誘導するための手のひら認証用撮像装置を提供することにある。
【００１１】
又、本発明の他の目的は、利用者の抵抗感なく、手のひらを、自然と撮像装置の撮像範囲に的確に誘導するための手のひら認証用撮像装置を提供することにある。
【００１２】
更に、本発明の更に他の目的は、手のひらを、撮像装置の撮像範囲に的確に誘導し、読み取り率を向上するための手のひら認証用撮像装置を提供することにある。
【課題を解決するための手段】
【００１３】
この目的の達成のため、本発明は、手のひらから認証用パターンを撮像するための手のひら認証用撮像装置において、前記手のひらに対し光を発射し、且つ反射光を受光して、前記手のひらを撮像する非接触センサーユニットと、前記非接触センサーユニットの一方の側に設けられ、前記非接触センサーユニットで撮像される手の手首を支持する前面ガイドとを有する。
【００１４】
又、本発明では、好ましくは、前記前面ガイドは、前記手首を支持し、前記手のひらが前記非接触センサーユニットの撮像範囲に位置するように、前記非接触センサーユニットからの位置に設けられた。
【００１５】
又、本発明では、好ましくは、前記前面ガイドは、前記手首を支持し、前記手のひらが前記非接触センサーユニットの読み取り範囲に位置するように、前記非接触センサーユニットからの高さを有する。
【００１６】
又、本発明では、好ましくは、前記前面ガイドは、前記手首を支持する部分に、前記手首に沿った形状部分を有する。
【００１７】
又、本発明では、好ましくは、前記前面ガイドは、前記手首を支持する部分に、前記手首と面接触するカーブ部を有する。
【００１８】
又、本発明では、好ましくは、前記非接触センサーユニットの他方の側に設けられ、前記手の指を支持する背面ガイドを更に有する。
【００１９】
又、本発明では、好ましくは、前記背面ガイドは、前記手の指を支持し、前記手のひらが前記非接触センサーユニットの撮像範囲に位置するように、前記非接触センサーユニットからの位置に設けられた。
【００２０】
又、本発明では、好ましくは、前記背面ガイドは、前記手の指を支持し、前記手のひらが前記非接触センサーユニットの読み取り範囲に位置するように、前記非接触センサーユニットからの高さを有する。
【００２１】
又、本発明では、好ましくは、前記前面ガイドは、直立部と水平部とを有するほぼＬ字形状のガイドであり、前記水平部で、前記手首を支持する。
【００２２】
又、本発明では、好ましくは、前記前面ガイドは、透明又はほぼ透明部材で構成された。
【００２３】
又、本発明では、好ましくは、前記非接触センサーユニットは、前記手のひらに近赤外光を照射し、前記手のひらからの反射光を受光して、前記手のひらの静脈パターンを検出するセンサーユニットで構成された。
【００２４】
又、本発明では、好ましくは、前記非接触センサーユニットは、前記手のひらに近赤外光を照射する発光素子と、前記手のひらからの反射光を受光する受光素子とを有し、前記発光素子と前記受光素子の性能から前記読み取り範囲を決定するセンサーユニットで構成された。
【００２５】
又、本発明では、好ましくは、前記背面ガイドは、透明又はほぼ透明部材で構成された。
【００２６】
又、本発明では、好ましくは、前記背面ガイドの色を変化するため、選択的に駆動される発光素子を更に有する。
【００２７】
又、本発明では、好ましくは、前記背面ガイドが、軸を中心に回転可能に構成された。
【発明の効果】
【００２８】
本発明では、手のひらを撮像する非接触センサーユニットの一方の側に、非接触センサーユニットで撮像される手の手首を支持する前面ガイドを設けたので、手のひら認証のために撮像する際に、手のひらを、自然とセンサーユニットの撮像範囲に誘導することができる。又、手首を支持するため、手のひらを的確にセンサーユニットの撮像範囲に位置させることができる。このため、利用者にとって、面倒でなく、時間もかからずに、手のひら認証の撮像ができ、且つ手のひら認証時間も削減でき、かかる手のひら認証装置の普及に寄与する。
【発明を実施するための最良の形態】
【００２９】
以下、本発明の実施の形態を、手のひら認証システム、手のひら認証用撮像装置、他の実施の形態の順で説明する。
【００３０】
［手のひら認証システム］
図１は、本発明の一実施の形態の手のひら認証システムの構成図、図２は、図１の手のひら認証用撮像装置の外観図である。
【００３１】
図１は、手のひら認証システムとして、金融機関における個人認証システムを例に示す。金融機関の窓口２には、本発明の対象とする手のひら撮像装置１と、業務店端末（例えば、パーソナルコンピュータ）３とが設けられている。来店した利用者は、手のひら撮像装置（以下、撮像装置という）１に手をかざす。撮像装置１は、手のひらを読み取り、その静脈模様は、静脈データとして、端末３側に登録される。
【００３２】
この静脈データは、端末３に接続されるデータベースサーバ４又は利用者の手持ちの個人カード（例えば、ＩＣカード）５に記録される。利用者が、金融機関の窓口７において、引出し取引等の金融取引を行うには、窓口７に設けられた撮像装置１に手をかざす。撮像装置１は、手のひらを読み取り、その静脈模様は、静脈データとして、窓口端末８により、データベースサーバ４に登録された静脈データと照合され、本人確認される。
【００３３】
又、利用者が、金融機関のＡＴＭ（自動現金入出金装置）６を利用して、引出し取引等の金融取引を行うには、ＡＴＭ６７に設けられた撮像装置１に手をかざす。撮像装置１は、手のひらを読み取り、その静脈模様は、静脈データとして、ＡＴＭ６で、利用者の所持したＩＣカード５、又はデータベースサーバ４に登録された静脈データと照合され、本人確認される。
【００３４】
図２は、図１の手のひら撮像装置１の外観図である。図２に示すように、本体１０は、ほぼ中央に、センサーユニット１８を搭載する。センサーユニット１８の前部（利用者側）には、前面ガイド１４と読み取り確認ランプ１２とが、後部には、背面ガイド１６が設けられている。
【００３５】
前面ガイド１４と背面ガイド１６は、透明又はほぼ透明の合成樹脂の板で構成される。後述するように、前面ガイド１４は、前面にある手を誘導する役目と、手首を支持する役目を果す。一方、背面ガイド１６は、手の指を支持する役目を果す。従って、センサーユニット１８の上方で、前面ガイド１４は、手首を、背面ガイド１６は、手の指をガイドするように、利用者に誘導し、且つこれらを支持する。
【００３６】
このため、センサーユニット１８の上方で、手のひらの姿勢、即ち、位置、傾き、大きさ（高さ）を、揃え、且つ撮像範囲に誘導することができる。
【００３７】
［手のひら認証用撮像装置］
次に、図２で説明した手のひら認証用撮像装置１を、説明する。図３は、図２の撮像装置の断面図、図４は、図３の背面ガイド１６の斜視図、図５は、図３の前面ガイド１４の斜視図、図６は、図５の前面ガイド１４の断面図、図７は、図３のセンサーユニット１８の構成図、図８は、撮像装置１の撮像範囲とガイド１４、１６の関係図、図９は、前面ガイド１４の動作説明図である。
【００３８】
図３に示すように、本体１０は、ほぼ中央に、図７にて後述するセンサーユニット１８を搭載する。センサーユニット１８の前部（利用者側）には、図５及び図６にて後述する前面ガイド１４と読み取り確認ランプ１２とが、後部には、図４にて後述する背面ガイド１６が設けられている。背面ガイド１６の下部に、ＬＥＤ等の発光素子２０が設けられる。
【００３９】
図４に示すように、背面ガイド１６は、透明又はほぼ透明の合成樹脂の方形板で構成され、上部は、平らで、下部に、一対の挿入用ブロック１６−１、１６−２を備える。これにより、図３に示したように、背面ガイド１６は、本体１０に挿入され、ブロック１６−１、１６−２で、位置決めされる。
【００４０】
又、図５及び図６に示すように、前面ガイド１４も、透明又はほぼ透明の合成樹脂の板で構成される。前面ガイド１４は、前面にある手を誘導する役目と、手首を支持する役目を果すため、その断面形状は、垂直のボデイと、上部に、手首を支える水平部１４−１とを有する。この水平部１４−１の中央には、凹み部１４−２が、連続して形成されており、より手首を位置決めし易くしている。
【００４１】
一方、図７に示すように、センサーユニット１８は、中央に、赤外センサー（ＣＭＯＳセンサー）１８−１と、集光レンズ１８−２とが設けられ、この周囲に、複数の近赤外線発光素子（ＬＥＤ）１８−４が設けられる。例えば、周囲４ケ所に、近赤外線発光素子１８−４が設けられ、近赤外線を上方に発光する。
【００４２】
更に、距離センサー１８−３が設けられ、センサーユニット１８上方の対象物（手のひら）との距離を測定し、センサーユニット１８上方に対象物があるか、対象物との距離が適正かの判断に供する。又、センサーユニット１８の上面には、可視光をカットする赤外線フィルター（図示せず）が設けられている。
【００４３】
このセンサーユニット１８は、センサー１８−１、集光レンズ１８−２、近赤外線発光領域との関係で、読み取り可能領域が規制され、図７では、センサーユニット１８の高さＢから高さＡの範囲である。
【００４４】
このため、前面ガイド１４と、背面ガイド１６の位置及び高さは、図７に示すように、両ガイド１４、１６で支持される手のひらが、読み取り領域に位置するように、設定される。図７では、読み取り可能領域の下限Ｂと、上限Ａとの中間の高さを持つように、両ガイド１４、１６の高さ、位置を設定する。このようにすると、読み取りマージンが大きくなる。
【００４５】
一方、図８に示すように、センサーユニット１８の撮像範囲Ｖ（縦、横）は、手のひらを含むように、設定する必要があり、このため、センサーユニット１８と、前面ガイド１４、背面ガイド１６との距離、即ち、位置関係が決定される。
【００４６】
又、前面ガイド１４は、図５及び図６で示したように、Ｌ字形状をなす、手首支持部１４−１を有する。この手首支持部１４−１の形状は、図９に示すように、手５０の手首５２の形状に合わせたカーブを形成するように、連続した凹み部１４−２を有する。即ち、手首を支持するため、面を形成し、且つこの面を手首の形状に合わせたカーブを持たせる。これにより、手首の位置、傾きを規制でき、手のひらを撮像範囲に的確に誘導、規制できる。
【００４７】
次に、図３乃至図７の構成の撮像装置の動作を、図１０乃至図１６により、説明する。図１０に示すように、手５０が、ジャンケンのパーの形をしている時に、手のひら５４は、最大面積であり、且つ平らであるから、手のひら５４を撮像範囲Ｖで撮像すると、正確な静脈パターンが得られ、登録、照合に有効である。
【００４８】
従って、図１１に示すように、前面ガイド１４が、センサーユニット１８の上方で、手首５２を支持することにより、センサーユニット１８の上方での手のひらの位置と傾き、及び高さは、センサーユニット１８の撮像範囲に対し的確となるように、利用者の手を誘導及び支持できる。
【００４９】
又、背面ガイド１６は、手の指をガイドするように、利用者に誘導し、且つこれらを支持するため、図１０に示すように、手の指が開いた最適な状態を形成するのに役立つ。
【００５０】
一方、図１２に示すように、前面ガイド１４の手首支持部１４−１に、手首５２を乗せない状態では、センサーユニット１８の撮像範囲Ｖに、手のひらの一部しか入らない。
【００５１】
又、図１３に示すように、前面ガイド１４の手首支持部１４−１に、手首５２を充分乗せない状態で、背面ガイド１６にも充分手の指を乗せない状態では、手の指５６の一部がガイドされず、センサーユニット１８との高さが的確にならない。同様に、図１４に示すように、前面ガイド１４の手首支持部１４−１に、手首５２を充分乗せない状態で、背面ガイド１６にも充分手の指を乗せない状態では、手の指５６の一部を上げてしまう場合があり、センサーユニット１８との高さが的確にならない。
【００５２】
このように、前面ガイド１４は、前面にある手を誘導する役目と、手首を支持する役目を果し、手のひらを円滑に撮像範囲に誘導できる。又、背面ガイド１６は、前面ガイド１４を補助し、手のひらの位置を撮像範囲に規制する。
【００５３】
更に、前面ガイド１４に、手首誘導カーブ１４−２を設けない場合には、図１５及び図１６に示すように、センサーユニット１８と手のひらとを、水平状態に誘導することができない。このため、前面ガイド１４に、手首誘導カーブ１４−２を設けることは、この非水平を防止するのに有効である。
【００５４】
前述の実施の形態では、背面ガイド１６に、発光素子２０を設けている。この発光素子の利用の形態を、図１７の引き落とし処理フロー図により説明する。
【００５５】
（Ｓ１０）図１に示した窓口７での引き落とし業務において、テラーは、利用者から通帳や伝票（取引額等を記載したもの）を受け、窓口端末８で、伝票を読み取る（ＯＣＲ）。
【００５６】
（Ｓ１２）窓口端末８で、引き落とし金額を表示する。
【００５７】
（Ｓ１４）撮像装置１の背面ガイド１６の発光素子(ランプ）２０をオンにし、利用者に、撮像可能を表示する。
【００５８】
（Ｓ１６）利用者が、撮像装置１の両ガイド１４、１６に手を乗せ、手のひらが、センサーユニット１８の読み取り範囲に位置すると、撮像を開始し、発光素子２０をオフする。
【００５９】
（Ｓ２０）前述の図１で説明したように、撮像装置１は、手のひらを読み取り、その静脈模様は、静脈データとして、窓口端末８を介し、データベースサーバ４に登録された静脈データと照合され、本人確認される。
【００６０】
（Ｓ２２）静脈データを利用した本人確認がＯＫであれば、確認ランプ１２がＯＫ（例えば、グリーン色の発光）を表示し、以降、取引処理に以降する。一方、静脈データを利用した本人確認がＮＧであれば、確認ランプ１２がＮＧ（例えば、レッド色の発光）を表示し、再読取りのため、ステップＳ１４に戻る。
【００６１】
このようにして、背面ガイド１６を利用して、利用者に操作をガイドすることができる。
【００６２】
［他の実施の形態］
図１８は、本発明の他の実施の形態の構成図であり、図１のＡＴＭ６に、撮像装置１を設けた変形例である。ＡＴＭ６は、その前面に、カード挿入／排出口６−４と、通帳挿入／排出口６−５と、紙幣挿入／放出口６−３と、硬貨挿入／放出口６−２と、操作及び表示のための顧客操作パネル６−１とを有する。
【００６３】
この例では、撮像装置１は、顧客操作パネル６−１の横に設けられる。この場合に、背面ガイド１６が、紙幣挿入／放出口６−３とオーバーラップする場合には、紙幣の挿入／取り出しがやりにくくなる。
【００６４】
このため、背面ガイド１６ａは、軸を中心に、センサーユニット１８側に倒れる構造とし、利用者が撮像装置１を利用する際に、自動的に又は利用者の手動操作により、背面ガイド１６ａを立ち上げ、図２の状態で、撮像する。本人確認終了後は、同様に、背面ガイド１６ａを、センサーユニット１８側に、自動的に、又は利用者の手動操作で倒す。これにより、背面ガイド１６が、紙幣挿入／放出口６−３とオーバーラップして、紙幣の取り出し、挿入の阻害となることを防止できる。
【００６５】
図１９は、本発明の他の実施の形態の撮像装置の斜視図である。図１９において、図２乃至図７で示したものと同一のものは、同一の記号で示してある。この例では、背面ガイド１６が設けられていない。即ち、本体１０の前部に、図７にて説明したセンサーユニット１８を搭載する。センサーユニット１８の前部（利用者側）には、前面ガイド１４が設けられている。
【００６６】
又、図５及び図６に示したように、前面ガイド１４は、透明又はほぼ透明の合成樹脂の板で構成される。前面ガイド１４は、前面にある手を誘導する役目と、手首を支持する役目を果すため、その断面形状は、垂直のボデイと、上部に、手首を支える水平部１４−１とを有する。この水平部１４−１の中央には、凹み部１４−２が、連続して形成されており、より手首を位置決めし易くしている。
【００６７】
更に、本体１０のセンサーユニット１８の後部には、平坦部２２が設けられている。この平坦部２２は、テンキー等の操作機構を搭載する。
【００６８】
このようにしても、前面ガイド１４の作用効果は、前述の実施の形態と同様であり、前面にある手を誘導する役目と、手首を支持、位置決めする役目を果す。
【００６９】
前述の実施の形態では、手のひら認証を、手のひらの静脈パターン認証で説明したが、手の掌紋等他の手のひらの特徴を認証に利用するものにも、適用でき、又、金融業務で説明したが、個人認証を必要とする他の業務にも適用できる。
【００７０】
更に、前面ガイド１４も、倒れる構造等他の収容型であっても良い。センサーユニットも、近赤外線センサーユニットに限らず、他のセンサーユニットも適用できる。しかも、背面ガイド１６の発光素子２０を設けているが、設けない構成でも良い。
【００７１】
以上、本発明を実施の形態により説明したが、本発明の趣旨の範囲内において、本発明は、種々の変形が可能であり、本発明の範囲からこれらを排除するものではない。
【００７２】
（付記１）手のひらから認証用パターンを撮像するための手のひら認証用撮像装置において、前記手のひらに対し光を発射し、且つ反射光を受光して、前記手のひらを撮像する非接触センサーユニットと、前記非接触センサーユニットの一方の側に設けられ、前記非接触センサーユニットで撮像される手の手首を支持する前面ガイドとを有することを特徴とする手のひら認証用撮像装置。
【００７３】
（付記２）前記前面ガイドは、前記手首を支持し、前記手のひらが前記非接触センサーユニットの撮像範囲に位置するように、前記非接触センサーユニットからの位置に設けられたことを特徴とする付記１の手のひら認証用撮像装置。
【００７４】
（付記３）前記前面ガイドは、前記手首を支持し、前記手のひらが前記非接触センサーユニットの読み取り範囲に位置するように、前記非接触センサーユニットからの高さを有することを特徴とする付記１の手のひら認証用撮像装置。
【００７５】
（付記４）前記前面ガイドは、前記手首を支持する部分に、前記手首に沿った形状部分を有することを特徴とする付記１の手のひら認証用撮像装置。
【００７６】
（付記５）前記前面ガイドは、前記手首を支持する部分に、前記手首と面接触するカーブ部を有することを特徴とする付記４の手のひら認証用撮像装置。
【００７７】
（付記６）前記非接触センサーユニットの他方の側に設けられ、前記手の指を支持する背面ガイドを更に有することを特徴とする付記１の手のひら認証用撮像装置。
【００７８】
（付記７）前記背面ガイドは、前記手の指を支持し、前記手のひらが前記非接触センサーユニットの撮像範囲に位置するように、前記非接触センサーユニットからの位置に設けられたことを特徴とする付記６の手のひら認証用撮像装置。
【００７９】
（付記８）前記背面ガイドは、前記手の指を支持し、前記手のひらが前記非接触センサーユニットの読み取り範囲に位置するように、前記非接触センサーユニットからの高さを有することを特徴とする付記６の手のひら認証用撮像装置。
【００８０】
（付記９）前記前面ガイドは、直立部と水平部とを有するほぼＬ字形状のガイドであり、前記水平部で、前記手首を支持することを特徴とする付記１の手のひら認証用撮像装置。
【００８１】
（付記１０）前記前面ガイドは、透明又はほぼ透明部材で構成されたことを特徴とする付記１の手のひら認証用撮像装置。
【００８２】
（付記１１）前記非接触センサーユニットは、前記手のひらに近赤外光を照射し、前記手のひらからの反射光を受光して、前記手のひらの静脈パターンを検出するセンサーユニットで構成されたことを特徴とする付記１の手のひら認証用撮像装置。
【００８３】
（付記１２）前記非接触センサーユニットは、前記手のひらに近赤外光を照射する発光素子と、前記手のひらからの反射光を受光する受光素子とを有し、前記発光素子と前記受光素子の性能から前記読み取り範囲を決定するセンサーユニットで構成されたことを特徴とする付記１の手のひら認証用撮像装置。
【００８４】
（付記１３）前記背面ガイドは、透明又はほぼ透明部材で構成されたことを特徴とする付記６の手のひら認証用撮像装置。
【００８５】
（付記１４）前記背面ガイドの色を変化するため、選択的に駆動される発光素子を更に有することを特徴とする付記１３の手のひら認証用撮像装置。
【００８６】
（付記１５）前記背面ガイドが、軸を中心に回転可能に構成されたことを特徴とする付記６の手のひら認証用撮像装置。
【産業上の利用可能性】
【００８７】
手のひらを撮像する非接触センサーユニットの一方の側に、非接触センサーユニットで撮像される手の手首を支持する前面ガイドを設けたので、手のひらを、自然とセンサーユニットの撮像範囲に誘導することができ、且つ手首を支持するため、手のひらを的確にセンサーユニットの撮像範囲に位置させることができる。このため、利用者にとって、面倒でなく、時間もかからずに、手のひら認証の撮像ができ、且つ手のひら認証時間も削減でき、かかる手のひら認証装置の普及に寄与する。
【図面の簡単な説明】
【００８８】
【図１】本発明の一実施の形態の手のひら認証用撮像装置を利用した個人認証システムの構成図である。
【図２】図１の手のひら認証用撮像装置の斜視図である。
【図３】図２の手のひら認証用撮像装置の断面図である。
【図４】図３の撮像装置の背面ガイドの斜視図である。
【図５】図３の撮像装置の前面ガイドの斜視図である。
【図６】図３の撮像装置の前面ガイドの断面図である。
【図７】図３の撮像装置のセンサーユニットの構成図である。
【図８】図３の撮像装置の撮像領域とガイドとの関係図である。
【図９】図３の撮像装置の前面ガイドの動作説明図である。
【図１０】図３の撮像装置のための撮像範囲の説明図である。
【図１１】図３の撮像装置のガイドの動作説明図である。
【図１２】図３の撮像装置の前面ガイドによる誘導動作の説明図である。
【図１３】図３の撮像装置の前面ガイドと背面ガイドによる誘導動作説明図である。
【図１４】図３の撮像装置の前面ガイドと背面ガイドによる他の誘導動作説明図である。
【図１５】図３の撮像装置の前面ガイドの手首保持動作説明図である。
【図１６】図３の撮像装置の前面ガイドの他の手首保持動作説明図である。
【図１７】図１のシステムにおける個人認証処理フロー図である。
【図１８】本発明の他の実施の形態の撮像装置の構成図である。
【図１９】本発明の他の実施の形態の撮像装置の構成図である。
【図２０】従来の手のひら撮像装置の説明図である。
【図２１】従来の手のひら撮像装置の原理説明図である。
【図２２】従来の手のひら認証技術の説明図である。
【図２３】従来の手のひら認証技術の他の説明図である。
【符号の説明】
【００８９】
１  手のひら認証用撮像装置
１０  撮像装置本体
１２  認証インヂケータ
１４  前面ガイド
１４−１  手首指示部
１４−２  凹み部
１６  背面ガイド
１８  センサーユニット
１８−１  センサー
１８−２  集光レンズ
１８−３  距離センサー
１８−４  赤外線発光素子
２０  背面ガイド用発光素子
【図１】
2006011988.tif 000003
【図２】
2006011988.tif 000004
【図３】
2006011988.tif 000005
【図４】
2006011988.tif 000006
【図５】
2006011988.tif 000007
【図６】
2006011988.tif 000008
【図７】
2006011988.tif 000009
【図８】
2006011988.tif 000010
【図９】
2006011988.tif 000011
【図１０】
2006011988.tif 000012
【図１１】
2006011988.tif 000013
【図１２】
2006011988.tif 000014
【図１３】
2006011988.tif 000015
【図１４】
2006011988.tif 000016
【図１５】
2006011988.tif 000017
【図１６】
2006011988.tif 000018
【図１７】
2006011988.tif 000019
【図１８】
2006011988.tif 000020
【図１９】
2006011988.tif 000021
【図２０】
2006011988.tif 000022
【図２１】
2006011988.tif 000023
【図２２】
2006011988.tif 000024
【図２３】
2006011988.tif 000025